(57)【要約】【課題】映像信号出力装置との通信機能の有無に関係なく表示画面部に対して出力可能な映像信号の判断を自ら行うことが可能であり、かつ、ユーザが操作を行うことなく表示画面部に表示させる最適な映像フォーマットを確実に決定することが可能なデジタル画像表示装置を提供する。【解決手段】この液晶ディスプレイ１０（デジタル画像表示装置）は、アナログ映像信号６０を表示可能な表示画面部５０と、表示画面部５０が表示可能なアナログ映像信号６０の映像フォーマット群６２を記憶可能なメモリ部２３と、入力されたアナログ映像信号６０の映像フォーマット６１ａにより表示できない場合に、表示画面部５０が表示可能な映像フォーマット群６２のうち、アナログ映像信号６０の映像フォーマット６１ａに最も類似する映像フォーマット６２ｂを選択して表示画面部５０に表示させる制御部２２とを備える。【選択図】図１
2008224773.tif 000002
【特許請求の範囲】
【請求項１】
映像信号を表示可能な表示画面部を備えたデジタル画像表示装置において、
前記表示画面部が表示可能な前記映像信号の映像フォーマットを記憶可能なメモリ部と、
入力された前記映像信号の映像フォーマットにより表示できない場合に、前記表示画面部が表示可能な映像フォーマット群のうち、前記映像信号の映像フォーマットに最も類似する映像フォーマットを選択して前記表示画面部に表示させる制御部とをさらに備え、
前記映像フォーマットは、少なくとも水平方向の画素数と垂直方向の画素数との情報からなる画面解像度およびリフレッシュレートに関する情報から構成され、
前記制御部は、前記表示画面部が表示可能な前記映像フォーマット群のうち、入力された前記映像信号の映像フォーマットの前記画面解像度の前記水平方向の画素数と前記垂直方向の画素数との情報に基づいて、前記表示画面部が表示可能な前記映像フォーマット群のうち、入力された前記映像信号の映像フォーマットの前記画面解像度に最も類似する画面解像度を有する前記映像フォーマットを選択するとともに、入力された前記映像信号の映像フォーマットの前記リフレッシュレートに最も類似するリフレッシュレートを有する前記映像フォーマットを選択して前記表示画面部に表示させる制御を行うように構成され、
前記制御部は、入力された前記映像信号の映像フォーマットの前記水平方向の画素数と前記表示画面部が表示可能な前記映像フォーマット群の前記水平方向の画素数との差と、入力された前記映像信号の映像フォーマットの前記垂直方向の画素数と前記表示画面部が表示可能な前記映像フォーマット群の前記垂直方向の画素数との差との和が最小であり、かつ、入力された前記映像信号の映像フォーマットの前記リフレッシュレートと前記表示画面部が表示可能な前記映像フォーマット群の前記リフレッシュレートとの差が最小となるときの前記映像フォーマットを、入力された前記映像信号の映像フォーマットに最も類似する前記表示画面部が表示可能な前記映像フォーマットとして判断するように構成されている、デジタル画像表示装置。
【請求項２】
映像信号を表示可能な表示画面部と、
前記表示画面部が表示可能な前記映像信号の映像フォーマットを記憶可能なメモリ部と、
入力された前記映像信号の映像フォーマットにより表示できない場合に、前記表示画面部が表示可能な映像フォーマット群のうち、前記映像信号の映像フォーマットに最も類似する映像フォーマットを選択して前記表示画面部に表示させる制御部とを備えた、デジタル画像表示装置。
【請求項３】
前記映像フォーマットは、少なくとも水平方向の画素数と垂直方向の画素数との情報からなる画面解像度およびリフレッシュレートに関する情報から構成され、
前記制御部は、前記表示画面部が表示可能な前記映像フォーマット群のうち、入力された前記映像信号の映像フォーマットの前記画面解像度に最も類似する画面解像度を有する前記映像フォーマットおよび入力された前記映像信号の映像フォーマットの前記リフレッシュレートに最も類似するリフレッシュレートを有する前記映像フォーマットを選択して前記表示画面部に表示させる制御を行うように構成されている、請求項２に記載のデジタル画像表示装置。
【請求項４】
前記制御部は、前記画面解像度の前記水平方向の画素数と前記垂直方向の画素数との情報に基づいて、前記表示画面部が表示可能な前記映像フォーマット群のうち、入力された前記映像信号の映像フォーマットの前記画面解像度に最も類似する画面解像度を有する前記映像フォーマットを選択するように構成されている、請求項３に記載のデジタル画像表示装置。
【請求項５】
前記制御部は、入力された前記映像信号の映像フォーマットの前記水平方向の画素数と前記表示画面部が表示可能な前記映像フォーマット群の前記水平方向の画素数との差と、入力された前記映像信号の映像フォーマットの前記垂直方向の画素数と前記表示画面部が表示可能な前記映像フォーマット群の前記垂直方向の画素数との差との和が最小であり、かつ、入力された前記映像信号の映像フォーマットの前記リフレッシュレートと前記表示画面部が表示可能な前記映像フォーマット群の前記リフレッシュレートとの差が最小となるときの前記映像フォーマットを、入力された前記映像信号の映像フォーマットに最も類似する前記表示画面部が表示可能な前記映像フォーマットとして判断するように構成されている、請求項３または４に記載のデジタル画像表示装置。
【発明の詳細な説明】
【技術分野】
【０００１】
この発明は、デジタル画像表示装置に関し、特に、映像信号を表示可能な表示画面部を備えたデジタル画像表示装置に関する。
【背景技術】
【０００２】
従来、映像信号を表示可能な表示画面部を備えたデジタル画像表示装置などが知られている（たとえば、特許文献１および２参照）。
【０００３】
上記特許文献１には、映像信号を映像表示装置（接続モニタ）に表示可能な映像信号出力装置が開示されている。この特許文献１に記載の映像信号出力装置では、映像信号を映像表示装置（接続モニタ）に出力する際、通信機能を利用して映像信号が有する映像フォーマット情報と、映像表示装置が表示可能な映像フォーマット情報とを比較するとともに、比較結果に基づいて、映像表示装置が表示可能な映像フォーマットの候補を映像表示装置に表示するように構成されている。そして、ユーザの操作により、表示可能な映像フォーマットの候補の中から実際に映像表示装置に表示させる映像フォーマットを選択させることが可能に構成されている。
【０００４】
また、上記特許文献２には、映像信号を受像機（接続モニタ）に表示可能な映像表示装置（映像信号出力装置）が開示されている。この特許文献２に記載の映像表示装置（映像信号出力装置）では、制御部が、映像信号を複数の異なる映像フォーマットに順次変換したうえで受像機（接続モニタ）に出力するとともに、変換された映像フォーマットにより映像信号が受像機に表示されているか否かをユーザに問い合わせることによって、受像機に適合した映像フォーマットの設定を行うように構成されている。なお、受像機に適合した映像フォーマットは複数設定されることも可能に構成されている。
【０００５】
【特許文献１】特開２００５−１６７８９５号公報
【特許文献２】特開２００５−１１７３０６号公報
【発明の開示】
【発明が解決しようとする課題】
【０００６】
しかしながら、上記特許文献１に記載の映像信号出力装置では、複数の表示可能な映像フォーマットの候補の中から実際に映像表示装置に表示させる映像フォーマットの選択（決定）をユーザの判断に委ねているため、ユーザが選択した映像フォーマットが必ずしも映像表示装置に表示させる最適な映像フォーマットとして選択されない場合が生じるという問題点がある。また、特許文献１の映像信号出力装置では、映像表示装置（接続モニタ）と映像信号出力装置との間における通信機能に基づいて、映像信号の出力元である映像信号出力装置が、映像表示装置との映像フォーマット上の適合性を判断するように構成されているために、映像信号出力装置との通信が不可能な映像表示装置が接続されている場合には、映像表示装置との映像フォーマット上の適合性を判断することができないという問題点がある。
【０００７】
また、上記特許文献２に記載の映像表示装置（映像信号出力装置）では、ユーザの操作により受像機に適合した映像フォーマットが複数設定される構成が開示されている一方で、実際に受像機に表示させる映像フォーマットを決定する方法については開示も示唆もされていない。したがって、受像機に適合した映像フォーマットの設定の中から実際に表示させる映像フォーマットの決定をユーザの判断に委ねる方法を適用する場合には、ユーザが決定した映像フォーマットが必ずしも受像機に表示させる最適な映像フォーマットとして選択されていない場合が生じるという問題点がある。
【０００８】
この発明は、上記のような課題を解決するためになされたものであり、この発明の１つの目的は、映像信号出力装置との通信機能の有無に関係なく表示画面部に対して表示可能な映像信号の判断を自ら行うことが可能であり、かつ、ユーザが操作を行うことなく表示画面部に表示させる最適な映像フォーマットを確実に決定することが可能なデジタル画像表示装置を提供することである。
【課題を解決するための手段および発明の効果】
【０００９】
この発明の第１の局面によるデジタル画像表示装置は、映像信号を表示可能な表示画面部を備えたデジタル画像表示装置において、表示画面部が表示可能な映像信号の映像フォーマットを記憶可能なメモリ部と、入力された映像信号の映像フォーマットにより表示できない場合に、表示画面部が表示可能な映像フォーマット群のうち、映像信号の映像フォーマットに最も類似する映像フォーマットを選択して表示画面部に表示させる制御部とをさらに備え、映像フォーマットは、少なくとも水平方向の画素数と垂直方向の画素数との情報からなる画面解像度およびリフレッシュレートに関する情報から構成され、制御部は、表示画面部が表示可能な映像フォーマット群のうち、入力された映像信号の映像フォーマットの画面解像度の水平方向の画素数と垂直方向の画素数との情報に基づいて、表示画面部が表示可能な映像フォーマット群のうち、入力された映像信号の映像フォーマットの画面解像度に最も類似する画面解像度を有する映像フォーマットを選択するとともに、入力された映像信号の映像フォーマットのリフレッシュレートに最も類似するリフレッシュレートを有する映像フォーマットを選択して表示画面部に表示させる制御を行うように構成され、制御部は、入力された映像信号の映像フォーマットの水平方向の画素数と表示画面部が表示可能な映像フォーマット群の水平方向の画素数との差と、入力された映像信号の映像フォーマットの垂直方向の画素数と表示画面部が表示可能な映像フォーマット群の垂直方向の画素数との差との和が最小であり、かつ、入力された映像信号の映像フォーマットのリフレッシュレートと表示画面部が表示可能な映像フォーマット群のリフレッシュレートとの差が最小となるときの映像フォーマットを、入力された映像信号の映像フォーマットに最も類似する表示画面部が表示可能な映像フォーマットとして判断するように構成されている。
【００１０】
この第１の局面によるデジタル画像表示装置では、上記のように、入力された映像信号の映像フォーマットにより表示できない場合に、映像信号の映像フォーマットに最も類似する映像フォーマットを選択して表示画面部に表示させる制御部を備えるように構成することによって、制御部は、装置本体外部に接続された映像信号出力装置からの映像信号に基づいて、映像信号の映像フォーマットに最も類似する映像フォーマットを選択して表示画面部に表示させることができるので、通信機能を有さない映像信号出力装置が接続されている場合であっても、表示画面部に対して表示可能な映像信号の判断を自ら行うことができる。また、表示画面部が表示可能な映像信号の映像フォーマットを記憶可能なメモリ部と、入力された映像信号の映像フォーマットにより表示できない場合に、表示画面部が表示可能な映像フォーマット群のうち、映像信号の映像フォーマットに最も類似する映像フォーマットを選択して表示画面部に表示させる制御部とを備えるように構成することによって、メモリ部に記憶されている表示画面部に表示可能な複数の映像フォーマット候補の中から、実際に表示させる映像フォーマットの決定をユーザの判断に委ねる場合と異なり、ユーザが操作を行うことなく制御部により表示画面部に表示させる最適な映像フォーマットを確実に決定することができる。
【００１１】
また、第１の局面によるデジタル画像表示装置では、映像フォーマットは、少なくとも水平方向の画素数と垂直方向の画素数との情報からなる画面解像度およびリフレッシュレートに関する情報から構成されるとともに、制御部を、表示画面部が表示可能な映像フォーマット群のうち、入力された映像信号の映像フォーマットの画面解像度に最も類似する画面解像度を有する映像フォーマットおよび入力された映像信号の映像フォーマットのリフレッシュレートに最も類似するリフレッシュレートを有する映像フォーマットを選択して表示画面部に表示させる制御を行うように構成することによって、制御部は、入力された映像信号の映像フォーマットのうち、画面解像度とリフレッシュレートとの情報に基づいて最適な映像フォーマットを選択するので、入力された映像信号の映像フォーマットの特性を最も強く反映した映像フォーマットにより映像信号を表示させることができる。また、制御部を、画面解像度の水平方向の画素数と垂直方向の画素数との情報に基づいて、表示画面部が表示可能な映像フォーマット群のうち、入力された映像信号の映像フォーマットの画面解像度に最も類似する画面解像度を有する映像フォーマットを選択するように構成することによって、入力された映像信号の映像フォーマットの画面解像度のうちの水平方向の画素数および垂直方向の画素数に基づいて最適な映像フォーマットを選択するので、入力された映像信号の映像フォーマットのアスペクト比（画面の縦横比）を反映した映像フォーマットを容易に選択することができる。
【００１２】
また、第１の局面によるデジタル画像表示装置では、制御部を、入力された映像信号の映像フォーマットの水平方向の画素数と表示画面部が表示可能な映像フォーマット群の水平方向の画素数との差と、入力された映像信号の映像フォーマットの垂直方向の画素数と表示画面部が表示可能な映像フォーマット群の垂直方向の画素数との差との和が最小であり、かつ、入力された映像信号の映像フォーマットのリフレッシュレートと表示画面部が表示可能な映像フォーマット群のリフレッシュレートとの差が最小となるときの映像フォーマットを、入力された映像信号の映像フォーマットに最も類似する表示画面部が表示可能な映像フォーマットとして判断するように構成することによって、制御部が最も類似する映像フォーマットを選択する過程において、前述の入力された映像信号の映像フォーマットのアスペクト比（画面の縦横比）に加えて、入力された映像信号の映像フォーマットのリフレッシュレート（垂直同期周波数）の特性についても判断基準に加えられるので、より確実に、入力された映像信号の映像フォーマットの特性を反映した最適な映像フォーマットを選択することができる。
【００１３】
この発明の第２の局面によるデジタル画像表示装置は、映像信号を表示可能な表示画面部と、表示画面部が表示可能な映像信号の映像フォーマットを記憶可能なメモリ部と、入力された映像信号の映像フォーマットにより表示できない場合に、表示画面部が表示可能な映像フォーマット群のうち、映像信号の映像フォーマットに最も類似する映像フォーマットを選択して表示画面部に表示させる制御部とを備える。
【００１４】
この第２の局面によるデジタル画像表示装置では、上記のように、入力された映像信号の映像フォーマットにより表示できない場合に、映像信号の映像フォーマットに最も類似する映像フォーマットを選択して表示画面部に表示させる制御部を備えるように構成することによって、制御部は、装置本体外部に接続された映像信号出力装置からの映像信号に基づいて、映像信号の映像フォーマットに最も類似する映像フォーマットを選択して表示画面部に表示させることができるので、通信機能を有さない映像信号出力装置が接続されている場合であっても、表示画面部に対して表示可能な映像信号の判断を自ら行うことができる。また、表示画面部が表示可能な映像信号の映像フォーマットを記憶可能なメモリ部と、入力された映像信号の映像フォーマットにより表示できない場合に、表示画面部が表示可能な映像フォーマット群のうち、映像信号の映像フォーマットに最も類似する映像フォーマットを選択して表示画面部に表示させる制御部を備えるように構成することによって、メモリ部に記憶されている表示画面部に表示可能な複数の映像フォーマット候補の中から、実際に表示させる映像フォーマットの決定をユーザの判断に委ねる場合と異なり、ユーザが操作を行うことなく制御部により表示画面部に表示させる最適な映像フォーマットを確実に決定することができる。
【００１５】
上記第２の局面によるデジタル画像表示装置において、好ましくは、映像フォーマットは、少なくとも水平方向の画素数と垂直方向の画素数との情報からなる画面解像度およびリフレッシュレートに関する情報から構成され、制御部は、表示画面部が表示可能な映像フォーマット群のうち、入力された映像信号の映像フォーマットの画面解像度に最も類似する画面解像度を有する映像フォーマットおよび入力された映像信号の映像フォーマットのリフレッシュレートに最も類似するリフレッシュレートを有する映像フォーマットを選択して表示画面部に表示させる制御を行うように構成されている。このように構成すれば、制御部は、入力された映像信号の映像フォーマットのうち、画面解像度とリフレッシュレートとの情報に基づいて最適な映像フォーマットを選択するので、入力された映像信号の映像フォーマットの特性を最も強く反映した映像フォーマットにより映像信号を表示させることができる。
【００１６】
この場合、好ましくは、制御部は、画面解像度の水平方向の画素数と垂直方向の画素数との情報に基づいて、表示画面部が表示可能な映像フォーマット群のうち、入力された映像信号の映像フォーマットの画面解像度に最も類似する画面解像度を有する映像フォーマットを選択するように構成されている。このように構成すれば、入力された映像信号の映像フォーマットの画面解像度のうちの水平方向の画素数および垂直方向の画素数に基づいて最適な映像フォーマットを選択するので、入力された映像信号の映像フォーマットのアスペクト比（画面の縦横比）を反映した映像フォーマットを容易に選択することができる。
【００１７】
上記制御部が、表示画面部が表示可能な映像フォーマット群のうち、最も類似する画面解像度およびリフレッシュレートを有する映像フォーマットを選択して表示画面部に表示させる制御を行う構成において、好ましくは、制御部は、入力された映像信号の映像フォーマットの水平方向の画素数と表示画面部が表示可能な映像フォーマット群の水平方向の画素数との差と、入力された映像信号の映像フォーマットの垂直方向の画素数と表示画面部が表示可能な映像フォーマット群の垂直方向の画素数との差との和が最小であり、かつ、入力された映像信号の映像フォーマットのリフレッシュレートと表示画面部が表示可能な映像フォーマット群のリフレッシュレートとの差が最小となるときの映像フォーマットを、入力された映像信号の映像フォーマットに最も類似する表示画面部が表示可能な映像フォーマットとして判断するように構成されている。このように構成すれば、制御部が最も類似する映像フォーマットを選択する過程において、前述の入力された映像信号の映像フォーマットのアスペクト比（画面の縦横比）に加えて、入力された映像信号の映像フォーマットのリフレッシュレート（垂直同期周波数）の特性についても判断基準に加えられるので、より確実に、入力された映像信号の映像フォーマットの特性を反映した最適な映像フォーマットを選択することができる。
【発明を実施するための最良の形態】
【００１８】
以下、本発明を具体化した実施形態を図面に基づいて説明する。
【００１９】
図１は、本発明の一実施形態による液晶ディスプレイの回路構成を示したブロック図である。図２は、図１に示した一実施形態による液晶ディスプレイに入力されるアナログ映像信号の映像フォーマットの内容を示した表である。図３および図４は、図１に示した一実施形態による液晶ディスプレイの構成を示した図である。まず、図１〜図４を参照して、本発明の一実施形態による液晶ディスプレイ１０の構成について説明する。なお、本実施形態では、デジタル画像表示装置の一例である液晶ディスプレイに本発明を適用した場合について説明する。
【００２０】
本発明の一実施形態による液晶ディスプレイ１０は、図１に示すように、装置本体に設けられた制御回路部２０が、信号ケーブル３０を介して、パーソナルコンピュータ４０に接続されているとともに、装置本体内部で制御回路部２０と表示画面部５０とが接続されることによって、パーソナルコンピュータ４０の映像出力部（ビデオボード）４１が出力するアナログ映像信号６０を表示画面部５０に表示することが可能に構成されている。なお、アナログ映像信号６０は、本発明の「映像信号」の一例である。
【００２１】
また、パーソナルコンピュータ４０の映像出力部（ビデオボード）４１が出力するアナログ映像信号６０は、映像１フレーム（１枚の静止画像）のアナログデータが、画像の水平方向の１走査線毎に分割されたデータ（アナログ電圧値）として水平同期周波数により連続的に１フレーム分が伝送されるとともに、垂直同期周波数により映像１フレームが連続的に更新表示（リフレッシュ）されることによって視聴可能な映像として再生することが可能となるように構成されている。また、パーソナルコンピュータ４０からのアナログ映像信号６０には、図２に示すように、画面画素数やリフレッシュレート（垂直同期周波数）などからなる映像フォーマット６１が含まれるように構成されている。なお、この映像フォーマット６１は、ＶＥＳＡ(Ｖｉｄｅｏ  Ｅｌｅｃｔｒｏｎｉｃｓ  Ｓｔａｎｄａｒｄｓ  Ａｓｓｏｃｉａｔｉｏｎ)により、種々のタイプが規定されている。
【００２２】
ここで、本実施形態では、図１に示すように、液晶ディスプレイ１０の制御回路部２０は、アナログデジタル変換部２１と、ＣＰＵからなる制御部２２と、メモリ部２３と、ＯＳＤ（オンスクリーンディスプレイ）部２４とを備えている。したがって、制御部２２がアナログデジタル変換部２１を制御することにより、パーソナルコンピュータ４０からのアナログ映像信号６０をデジタル映像信号７０に変換した上で表示画面部５０に表示することが可能に構成されている。
【００２３】
また、本実施形態では、図３に示すように、液晶ディスプレイ１０のメモリ部２３（図１参照）には、制御部２２（図１参照）が表示画面部５０（図１参照）に表示可能な複数の映像フォーマット群６２が予め記憶されるように構成されている。したがって、制御部２２（図１参照）は、アナログデジタル変換部２１（図１参照）により入力されたアナログ映像信号６０の映像フォーマット６１ａと、メモリ部２３（図１参照）に記憶されている表示可能な映像フォーマット群６２（図３参照）とが異なる場合は、メモリ部２３に記憶されている複数の映像フォーマット群６２の中から、入力中のアナログ映像信号６０の映像フォーマット６１ａに最も類似する１つの映像フォーマットを選択する制御を行うことが可能に構成されている。そして、図４に示すように、制御部２２（図１参照）は、選択された１つの映像フォーマットの内容を、ＯＳＤ部２４（図１参照）を通してメッセージ画面５１のような形態として表示画面部５０に表示させる制御を行うことが可能に構成されている。なお、以降の説明では、アナログ映像信号６０の映像フォーマット６１ａの内容を、「８００ピクセルｘ６００ピクセル、リフレッシュレート７０Ｈｚ」として示す。
【００２４】
また、本実施形態では、制御部２２（図１参照）は、メモリ部２３（図１参照）に記憶されている映像フォーマット群６２（図３参照）の中から、アナログ映像信号６０の映像フォーマット６１ａに最も類似する１つの映像フォーマットを選択する際に、複数の表示可能な映像フォーマット群６２のうち、アナログ映像信号６０の映像フォーマット６１ａの画面解像度Ｎ１（Ｎ１＝８００ピクセルｘ６００ピクセル）に最も類似する画面解像度Ｎ２を有する映像フォーマット群６２ａ（図３参照）を第１番目として選択し、さらに、この映像フォーマット群６２ａの中からアナログ映像信号６０の映像フォーマット６１ａのリフレッシュレートＶＦ１（ＶＦ１＝７５Ｈｚ）に最も類似するリフレッシュレートＶＦ２とを有する映像フォーマット６２ｂ（図３参照）を第２番目として選択する方法を適用することが可能に構成されている。
【００２５】
さらに、本実施形態では、制御部２２（図１参照）は、アナログ映像信号６０の映像フォーマット６１ａの画面解像度Ｎ１に最も類似する画面解像度Ｎ２を有する映像フォーマット群６２ａ（図３参照）を選択する際に、アナログ映像信号６０の映像フォーマット６１ａの画面解像度Ｎ１の水平方向の画素数Ｘ１（Ｘ１＝８００ピクセル）と垂直方向の画素数Ｙ１（Ｙ１＝６００ピクセル）との情報に基づいて、映像フォーマット群６２（図３参照）のうち、アナログ映像信号６０の映像フォーマット６１ａの画面解像度Ｎ１に最も類似する画面解像度を有する映像フォーマット６２群ａを選択する方法を適用するように構成されている。
【００２６】
また、本実施形態では、制御部２２（図１参照）は、メモリ部２３（図１参照）に記憶されている映像フォーマット群６２（図３参照）の中から、アナログ映像信号６０の映像フォーマット６１ａに最も類似する映像フォーマット６２ｂ（図３参照）を選択する過程において、アナログ映像信号６０の映像フォーマット６１ａの水平方向の画素数Ｘ１と表示画面部５０（図１参照）が表示可能な映像フォーマット群６２の水平方向の画素数Ｘ２との差Ａ（Ａ＝Ｘ１−Ｘ２）の絶対値と、アナログ映像信号６０の映像フォーマット６１ａの垂直方向の画素数Ｙ１と表示画面部５０が表示可能な映像フォーマット群６２の垂直方向の画素数Ｙ２との差Ｂ（Ｂ＝Ｙ１−Ｙ２）の絶対値との和Ｃ（Ｃ＝Ａ＋Ｂ）が最小であり、かつ、入力中のアナログ映像信号６０の映像フォーマット６１ａのリフレッシュレートＶＦ１（ＶＦ１＝７５Ｈｚ）と表示画面部５０が表示可能な映像フォーマット群６２のリフレッシュレートＶＦ２との差Ｄ（Ｄ＝ＶＦ１−ＶＦ２）の絶対値が最小となるときの映像フォーマットを、アナログ映像信号６０の映像フォーマット６１ａに最も類似する表示画面部５０が表示可能な映像フォーマット６２ｂ（図３参照）として判断する方法を適用するように構成されている。
【００２７】
また、図１に示すように、制御回路部２０は上述の構成要素に加えて、制御部２２が上述の映像フォーマットの選択を行うための制御プログラムが格納されたプログラム格納メモリ部２５を備えている。また、制御回路部２０の各構成要素は、図１に示すように、バス（伝送路）２６によって互いに接続されることによって、制御信号および制御上の計算データなどを互いに受け渡しすることが可能なように構成されている。
【００２８】
また、図１に示すように、パーソナルコンピュータ４０と液晶ディスプレイ１０とが接続された状態において、ユーザは、パーソナルコンピュータ４０の映像フォーマット設定部４２を操作することにより、液晶ディスプレイ１０の表示画面部５０に表示可能な映像（画像）を見ながら、制御部２２が推奨する映像フォーマットに設定を変更することが可能とされている。
【００２９】
図５および図６は、図１に示した本発明の一実施形態による液晶ディスプレイが表示可能な映像フォーマットを選択する過程を示したフローチャートである。次に、図１および図３〜図６を参照して、本実施形態による液晶ディスプレイ１０が表示可能な映像フォーマットを選択する過程における制御部２２の制御動作について説明する。
【００３０】
図１に示すように、液晶ディスプレイ１０がパーソナルコンピュータ４０に接続された状態において、パーソナルコンピュータ４０の映像出力部（ビデオボード）４１から所定の映像フォーマットを有するアナログ映像信号６０が液晶ディスプレイ１０に対して出力された場合、制御部２２は、図４に示す制御フローを実行する。
【００３１】
まず、ステップＳ１では、制御部２２は、図４に示すように、アナログデジタル変換部２１（図１参照）を介してパーソナルコンピュータ４０（図１参照）からのアナログ映像信号６０（図１参照）が検知されたか否かを判断するとともに、パーソナルコンピュータ４０からのアナログ映像信号６０が検知されない場合には、パーソナルコンピュータ４０からのアナログ映像信号６０が検知されるまでこの判断を繰り返す。また、ステップＳ１において、パーソナルコンピュータ４０からのアナログ映像信号６０が検知されたと判断した場合には、ステップＳ２において、制御部２２は、現在入力されているアナログ映像信号６０の映像フォーマットを特定（認識）する。本実施形態では、ステップＳ２において特定された映像フォーマット６１ａが、「８００ピクセルｘ６００ピクセル、リフレッシュレート７０Ｈｚ」であるとする。
【００３２】
そして、ステップＳ３では、制御部２２は、現在入力されているアナログ映像信号６０の映像フォーマット６１ａ（８００ピクセルｘ６００ピクセル、リフレッシュレート７０Ｈｚ）について、制御部２２が表示画面部５０に表示可能な映像フォーマットであるか否かを判断する。これは、制御部２２が、メモリ部２３に予め記憶されている表示可能な映像フォーマット群６２（図３参照）の記録データを逐次的に照会することによって行われる。また、ステップＳ３において、現在入力されているアナログ映像信号６０の映像フォーマットが、制御部２２が表示画面部５０に表示可能な映像フォーマット群６２の中の１つと合致していると判断した場合には、ステップＳ４において、制御部２２は、現在入力されているアナログ映像信号６０を、アナログデジタル変換部２１（図１参照）によりデジタル映像信号７０に変換したうえで、表示画面部５０に表示させる制御を行い、本制御フローを終了する。
【００３３】
また、ステップＳ３において、現在入力されているアナログ映像信号６０の映像フォーマット６１ａ（８００ピクセルｘ６００ピクセル、リフレッシュレート７０Ｈｚ）が、制御部２２が表示画面部５０に表示可能な映像フォーマット群６２（図３参照）の中に存在しない（合致しない）と判断された場合には、次のステップＳ５に進むとともに、ステップＳ５において、制御部２２は、表示画面部５０に表示可能な映像フォーマットを選択する制御を行う。なお、本実施形態では、ステップＳ３の判断結果により、現在入力されているアナログ映像信号６０の映像フォーマット６１ａ（８００ピクセルｘ６００ピクセル、リフレッシュレート７０Ｈｚ）が、制御部２２が表示画面部５０に表示可能な映像フォーマット群６２の中に存在しない場合についての制御部２２の処理動作（ステップＳ５以降の処理）について説明する。
【００３４】
ここで、本実施形態では、制御部２２は、図６に示すような制御フローに基づいて、表示画面部５０に表示可能な映像フォーマットを選択する制御を行う。
【００３５】
具体的には、まずステップＳ５１において、現在入力されているアナログ映像信号６０の映像フォーマットの水平方向の画素数Ｘ１（Ｘ１＝８００ピクセル）、垂直方向の画素数Ｙ１（Ｙ１＝６００ピクセル）、およびリフレッシュレートＶＦ１（ＶＦ１＝７５Ｈｚ）を認識する。そして、ステップＳ５２では、画素数Ｘ１と、メモリ部２３に予め記憶されている表示可能な映像フォーマット群６２（図３参照）の水平方向の画素数Ｘ２（Ｘ２＝６４０、６４０、６４０、８００および８００ピクセルの５種類）とを順次比較するとともに、水平方向の画素数Ｘ１と画素数Ｘ２との差Ａ（Ａ＝Ｘ１−Ｘ２）の絶対値を順次求める。また、次のステップＳ５３では、画素数Ｙ１と、メモリ部２３に予め記憶されている表示可能な映像フォーマット群６２（図３参照）の垂直方向の画素数Ｙ２（Ｙ２＝４８０、４８０、６００、６００および６００ピクセルの５種類）とを順次比較するとともに、垂直方向の画素数Ｙ１と画素数Ｙ２との差Ｂ（Ｂ＝Ｙ１−Ｙ２）の絶対値を順次求める。そして、ステップＳ５４では、上述の差Ａの絶対値と差Ｂの絶対値との和Ｃ（Ｃ＝Ａ＋Ｂ）を求めるとともに、和Ｃが最小値をもつときの映像フォーマット群６２ａ（図３参照）を抽出する。
【００３６】
なお、ステップＳ５１〜ステップＳ５４までを実行した時点で、制御部２２は、差Ａの絶対値と差Ｂの絶対値との和Ｃの最小値は「ゼロ」（Ｃ＝０）までの計算結果を得ている。したがって、候補となる映像フォーマット群６２ａは、図３に示すように、「８００ピクセルｘ６００ピクセル、リフレッシュレート６０Ｈｚ」および「８００ピクセルｘ６００ピクセル、リフレッシュレート７５Ｈｚ」の２種類に絞られている。
【００３７】
また、本実施形態では、次のステップＳ５５において、現在入力されているアナログ映像信号６０の映像フォーマットのリフレッシュレートＶＦ１（ＶＦ１＝７０Ｈｚ）と、メモリ部２３に予め記憶されている表示可能な映像フォーマット群（上述の２種類）のリフレッシュレートＶＦ２（ＶＦ２＝６０Ｈｚおよび７５Ｈｚ）とを順次比較するとともに、リフレッシュレートＶＦ１とリフレッシュレートＶＦ２との差Ｄ（Ｄ＝ＶＦ１−ＶＦ２）の絶対値を順次求める。そして、ステップＳ５６では、差Ｄの絶対値が最小値をもつときの映像フォーマットを１つ選択する。この場合、制御部２２は、差Ｄの絶対値の最小値は「５」（Ｄ＝７０−７５＝−５）の計算結果を得ている。したがって、選択された映像フォーマットは、図３に示すように、「８００ピクセルｘ６００ピクセル、リフレッシュレート７５Ｈｚ」の映像フォーマット６２ｂとされる。
【００３８】
このように、本実施形態では、制御部２２（図１参照）が複数の映像フォーマット群６２（図３参照）の中から１つの映像フォーマット６２ｂ（図３参照）を選択する過程において、まず第１番目として、アナログ映像信号６０の映像フォーマット６１ａの画素数（水平方向の画素数Ｘ１および垂直方向の画素数Ｙ１）と映像フォーマット群６２の画素数（水平方向の画素数Ｘ２および垂直方向の画素数Ｙ２）とを比較し、第２番目として、アナログ映像信号６０の映像フォーマット６１ａのリフレッシュレートＶＦ１と映像フォーマット群６２のリフレッシュレートＶＦ２とを比較する順序によって、アナログ映像信号６０の映像フォーマット６１ａに最も類似する映像フォーマット６２ｂが選択される。
【００３９】
そして、ステップＳ５７において、制御部２２（図１参照）は、選択された映像フォーマット６２ｂ（８００ピクセルｘ６００ピクセル、リフレッシュレート７５Ｈｚ）を、推奨する映像フォーマットに決定する。そして、制御部２２は、図６に示す本制御フローを終了するとともに、図５に示した制御フローのステップＳ６に進む。
【００４０】
また、本実施形態では、次のステップＳ６において、制御部２２は、ＯＳＤ部２４（図１参照）により、図４に示すように、たとえば、「このディスプレイでは表示することができない映像フォーマットが入力されています。ディスプレイの接続元（ＰＣなど）により、画面サイズ：横８００ピクセルｘ縦６００ピクセル、リフレッシュレート：７５Ｈｚに設定しなおしてください。」というメッセージ画面５１を表示する制御を行う。
【００４１】
そして、制御部２２は、ステップＳ７において、図４に示したメッセージ画面を表示した時間から所定時間（約２０秒）が経過したか否かを判断するとともに、所定時間が経過するまでこの判断を繰り返す。そして、図４に示したメッセージ画面５１を表示した時間から所定時間（約２０秒）が経過したと判断された場合には、制御部２２は、図５に示す本制御フローを終了する。
【００４２】
なお、ユーザは、所定時間（約２０秒）表示されているメッセージ画面５１（図４参照）を見ることにより、現在入力されているアナログ映像信号６０の映像フォーマット６１ａ（８００ピクセルｘ６００ピクセル、リフレッシュレート７０Ｈｚ）では画面を表示することができないことを認識するので、再度、パーソナルコンピュータ４０の映像フォーマット設定部４２を操作することにより、液晶ディスプレイ１０に対して出力するアナログ映像信号６０の映像フォーマットを、「画面サイズ：横８００ピクセルｘ縦６００ピクセル、リフレッシュレート：７５Ｈｚ」に設定し直すことを行う。
【００４３】
そして、ユーザにより、映像フォーマットが「８００ピクセルｘ６００ピクセル、リフレッシュレート７５Ｈｚ」に変更されたアナログ映像信号６０が、再び、液晶ディスプレイ１０の制御回路部２０に入力されることにより、制御部２２は、上述と同様の制御フローを実行する。この場合、ステップＳ１〜ステップＳ３までを経て、現在入力されているアナログ映像信号６０の映像フォーマット６１ｂが「８００ピクセルｘ６００ピクセル、リフレッシュレート７５Ｈｚ」であり、表示画面部５０に表示可能な映像フォーマット群６２（図３参照）の中の１つ（映像フォーマット６２ｂ）と合致することを判断するので、ステップＳ４（図５参照）により、現在入力されているアナログ映像信号６０を、アナログデジタル変換部２１（図１参照）によりデジタル映像信号７０に変換したうえで、表示画面部５０に表示させる制御を行う。この結果、ユーザは、推奨される映像フォーマットによる映像を見ることが可能とされる。
【００４４】
また、ユーザがパーソナルコンピュータ４０に接続されている既存のディスプレイから、新規に買い換えられた液晶ディスプレイ１０を接続した場合についても、新規に買い換えられた液晶ディスプレイ１０の制御部２２は、上述と同様の制御フローを実行する。なお、制御部２２により、ステップＳ１〜ステップＳ３までを通じて、新しく接続された液晶ディスプレイ１０に初めて入力されるアナログ映像信号６０の映像フォーマットが表示画面部５０に表示可能でないと判断された場合には、まず、ユーザは、所定時間（約２０秒）表示されているメッセージ画面５１（図４参照）を見ることにより、現在の映像フォーマットでは画面を表示することができないことを認識する。そして、ユーザは、新しく接続された液晶ディスプレイ１０から、交換する前のディスプレイに一旦接続を戻すことによって、以前のディスプレイに対して表示されるアナログ映像信号６０を見ながら、再度、パーソナルコンピュータ４０の映像フォーマット設定部４２を操作することにより、新規に買い換えられた液晶ディスプレイ１０の制御部２２が指定する映像フォーマットに設定を変更することを行う。そして、再び、新規に買い換えられた液晶ディスプレイ１０を接続することにより、ユーザは、設定変更後の映像フォーマットによる映像を見ることが可能とされる。
【００４５】
本実施形態では、上記のように、入力されたアナログ映像信号６０の映像フォーマット６１ａにより表示できない場合に、アナログ映像信号６０の映像フォーマット６１ａに最も類似する映像フォーマットを１つ選択し、かつ、選択された映像フォーマット６２ｂの内容をメッセージ画面５１とともに表示画面部５０に表示させる制御部２２を備えるように構成することによって、制御部２２は、装置本体外部に接続されたパーソナルコンピュータ４０からのアナログ映像信号６０に基づいて、アナログ映像信号６０の映像フォーマット６１ａに最も類似する映像フォーマットを選択して表示画面部５０に表示させることができるので、通信機能を有さない映像信号出力装置が接続されている場合であっても、表示画面部５０に対して表示可能な映像信号の判断を自ら行うことができる。
【００４６】
また、本実施形態では、また、表示画面部５０が表示可能なアナログ映像信号６０の映像フォーマット群６２を記憶可能なメモリ部２３と、入力されたアナログ映像信号６０の映像フォーマット６１ａ（８００ピクセルｘ６００ピクセル、リフレッシュレート７０Ｈｚ）により表示できない場合に、表示画面部５０が表示可能な映像フォーマット群６２のうち、アナログ映像信号６０の映像フォーマット６１ａに最も類似する映像フォーマットを１つ選択し、かつ、選択された映像フォーマット６２ｂの内容（８００ピクセルｘ６００ピクセル、リフレッシュレート７５Ｈｚ）をメッセージ画面５１とともに表示画面部５０に表示させる制御部２２を備えるように構成することによって、メモリ部２３に記憶されている表示画面部５０に表示可能な複数の映像フォーマット候補（映像フォーマット群６２）の中から、実際に表示させる映像フォーマットの決定をユーザの判断に委ねる場合と異なり、制御部２２により表示画面部５０に表示させる最適な映像フォーマット（映像フォーマット６２ｂ）を確実に決定することができる。
【００４７】
また、本実施形態では、制御部２２を、表示画面部５０が表示可能な映像フォーマット群６２のうち、入力されたアナログ映像信号６０の映像フォーマット６１ａの画面解像度Ｎ１に最も類似する画面解像度Ｎ２を有する映像フォーマットおよび入力されたアナログ映像信号６０の映像フォーマット６１ａのリフレッシュレートＶＦ１に最も類似するリフレッシュレートＶＦ２を有する映像フォーマットを選択して表示画面部５０に表示させる制御を行うように構成することによって、制御部２２は、入力されたアナログ映像信号６０の映像フォーマット６１ａのうち、画面解像度とリフレッシュレートとの情報に基づいて最適な映像フォーマットを１つ選択するので、入力されたアナログ映像信号６０の映像フォーマット６１ａの特性を最も強く反映した映像フォーマットにより表示画面部５０に映像信号を表示させることができる。
【００４８】
また、本実施形態では、制御部２２を、画面解像度の水平方向の画素数Ｘ１と垂直方向の画素数Ｙ１との情報に基づいて、表示画面部５０が表示可能な映像フォーマット群６２（図３参照）のうち、入力されたアナログ映像信号６０の映像フォーマット６１ａの画面解像度Ｎ１に最も類似する画面解像度Ｎ２を有する映像フォーマット群６２ａ（図３参照）を選択するように構成することによって、入力されたアナログ映像信号６０の映像フォーマット６１ａの画面解像度のうちの水平方向の画素数Ｘ１および垂直方向の画素数Ｙ１に基づいて最適な映像フォーマットを選択するので、入力されたアナログ映像信号６０の映像フォーマット６１ａのアスペクト比（画面の縦横比）を反映した映像フォーマットを容易に選択することができる。
【００４９】
また、本実施形態では、制御部２２を、入力されたアナログ映像信号６０の映像フォーマット６１ａの水平方向の画素数Ｘ１と表示画面部５０が表示可能な映像フォーマット群６２の水平方向の画素数Ｘ２との差Ａの絶対値と、入力されたアナログ映像信号６０の映像フォーマット６１ａの垂直方向の画素数Ｙ１と表示画面部５０が表示可能な映像フォーマット群６２の垂直方向の画素数Ｙ２との差Ｂの絶対値との和Ｃ（Ｃ＝Ａ＋Ｂ）が最小であり、かつ、入力されたアナログ映像信号６０の映像フォーマット６１ａのリフレッシュレートＶＦ１と表示画面部５０が表示可能な映像フォーマット群６２のリフレッシュレートＶＦ２との差Ｄ（Ｄ＝ＶＦ１−ＶＦ２）の絶対値が最小となるときの映像フォーマットを、入力されたアナログ映像信号６０の映像フォーマット６１ａに最も類似する表示画面部５０が表示可能な映像フォーマットとして判断するように構成することによって、制御部２２が最も類似する映像フォーマットを選択する過程において、前述の入力されたアナログ映像信号６０の映像フォーマット６１ａのアスペクト比（画面の縦横比）に加えて、入力されたアナログ映像信号６０の映像フォーマット６１ａのリフレッシュレート（垂直同期周波数）の特性についても判断基準に加えられるので、より確実に、入力されたアナログ映像信号６０の映像フォーマット６１ａの特性を反映した映像フォーマット（映像フォーマット６２ｂ）を選択することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、デジタル画像表示装置の一例としての液晶ディスプレイに本発明を適用した例を示したが、本発明はこれに限らず、入力される映像信号の映像フォーマットを検出可能な制御部を備えたデジタル画像表示装置であれば、有機ＥＬディスプレイなどの液晶ディスプレイ以外のデジタル画像表示装置にも適用可能である。
【００５２】
また、上記実施形態では、制御部２２が、メモリ部２３（図１参照）に記憶されている映像フォーマット群６２（図３参照）の中から、アナログ映像信号６０の映像フォーマット６１ａに最も類似する１つの映像フォーマットを選択する際に、複数の映像フォーマット群６２（図３参照）のうち、アナログ映像信号６０の映像フォーマット６１ａの画面解像度Ｎ１に最も類似する画面解像度Ｎ２を有する映像フォーマット群６２ａを第１番目として選択し、さらに、この映像フォーマット群６２ａの中からアナログ映像信号６０の映像フォーマット６１ａのリフレッシュレートＶＦ１に最も類似するリフレッシュレートＶＦ２とを有する映像フォーマット６２ｂを第２番目として選択する方法を適用した例を示したが、本発明はこれに限らず、まず第１番目として、アナログ映像信号６０の映像フォーマット６１ａのリフレッシュレートと表示可能な映像フォーマット群６２のリフレッシュレートとを比較し、第２番目として、アナログ映像信号６０の映像フォーマット６１ａの画素数と表示可能な映像フォーマット群６２の画素数とを比較する順序によって、アナログ映像信号６０の映像フォーマット６１ａに最も類似する映像フォーマットを選択するようにしてもよい。
【００５３】
また、上記実施形態では、制御部２２を、表示画面部５０が表示可能な映像フォーマット群６２のうち、入力されたアナログ映像信号６０の映像フォーマット６１ａの画面解像度およびリフレッシュレートの情報に基づいて、入力されたアナログ映像信号６０の映像フォーマット６１ａに最も類似する映像フォーマットを選択する制御を行うように構成した例を示したが、本発明はこれに限らず、入力されたアナログ映像信号６０の映像フォーマットの画面解像度およびリフレッシュレートの情報以外の情報に基づいて、入力されたアナログ映像信号６０の映像フォーマットに最も類似する映像フォーマットを選択する制御を行うようにしてもよい。
【００５４】
また、上記実施形態では、制御部２２が、最も類似する映像フォーマットの選択結果をメッセージ画面５１を通じてユーザに知らせるように構成した例を示したが、本発明はこれに限らず、メッセージ画面とともに、音声によってユーザに知らせるように構成してもよい。また、メッセージ画面を表示せず、音声のみによってユーザに知らせるように構成してもよい。
【図面の簡単な説明】
【００５５】
【図１】本発明の一実施形態による液晶ディスプレイの回路構成を示したブロック図である。
【図２】図１に示した一実施形態による液晶ディスプレイに入力されるアナログ映像信号の映像フォーマットの内容を示した表である。
【図３】図１に示した一実施形態による液晶ディスプレイに予め記憶されている表示可能な映像フォーマットの内容を示した表である。
【図４】図１に示した一実施形態による液晶ディスプレイの構成を示した図である。
【図５】図１に示した一実施形態による液晶ディスプレイの制御フローにおけるフローチャートを示した図である。
【図６】図１に示した一実施形態による液晶ディスプレイの制御フローにおけるフローチャートを示した図である。
【符号の説明】
【００５６】
２２  制御部
２３  メモリ部
５０  表示画面部
６０  アナログ映像信号（映像信号）
６１、６１ａ  映像フォーマット
６２、６２ａ  映像フォーマット群
６２ｂ  映像フォーマット
Ｎ１、Ｎ２  画面解像度
ＶＦ１、ＶＦ２  リフレッシュレート
Ｘ１、Ｘ２  水平方向の画素数
Ｙ１、Ｙ２  垂直方向の画素数
【図１】
2008224773.tif 000003
【図２】
2008224773.tif 000004
【図３】
2008224773.tif 000005
【図４】
2008224773.tif 000006
【図５】
2008224773.tif 000007
【図６】
2008224773.tif 000008